(57)【特許請求の範囲】
【請求項１】
ワイヤレスリモコン発信器からの遠隔操作信号を受付けて、防犯モードを警戒セット、警戒解除に設定変更する機能を備えた防犯受信機と、サービスサーバとを備え、該防犯受信機が設定変更されたときには、上記サービスサーバが、予め登録された通知先に電子メールで通知を行う防犯システムであって、
上記防犯受信機は、上記ワイヤレスリモコン発信器の遠隔操作を受付けてモードが少なくとも警戒セット、または警戒解除に設定変更されたときには、モードが設定変更されたことを、上記ワイヤレスリモコン発信器の識別コードを少なくとも含んだモード変更通知情報として上記サービスサーバに所定のプロトコルで送信する手段を備え、かつ監視対象となる防犯センサがワイヤレス接続されており、
上記ワイヤレスリモコン発信器は、上記遠隔操作信号に個別の識別コードを付加して発信し、
上記サービスサーバは、上記防犯受信機に対して、上記ワイヤレスリモコン発信器の識別コードに対応させて、所持者を示す個別情報と通知先アドレスとを少なくとも登録する通知先登録テーブルを有した通知先登録設定手段と、電子メール生成手段とを備え、
上記電子メール生成手段は、上記防犯受信機から上記モード変更通知情報を受信したときには、上記識別コードに対応した個別情報と通知先アドレスとを含めた所定形式の電子メールを作成して送信することを特徴とする、防犯システム。
【発明の詳細な説明】
【技術分野】
【０００１】
本発明は、ワイヤレスリモコン発信器からの遠隔操作信号を受付けて、防犯システムを警戒セット、警戒解除のモードに設定できる防犯受信機、及び、これを用いた防犯システムに関する。
【背景技術】
【０００２】
近時、一般住宅などにおいて、ワイヤレスリモコン発信器からの遠隔操作信号を受付けて防犯システムを警戒セット、警戒解除のモードに設定できる防犯受信機が使用されている（特許文献１）。
【０００３】
この種の防犯受信機は、複数の居住者が所持するワイヤレスリモコン発信器と組み合わせてワイヤレス防犯システムを構成しており、各々のワイヤレスリモコン発信器からの遠隔操作信号を受付けると、防犯システムを警戒セット、警戒解除のモードに設定する機能を備えている。
【０００４】
このようなシステムでは、居住者は外出する際には、ワイヤレスリモコン発信器を操作して、遠隔操作信号を防犯受信機に送信し、警戒セットに設定でき、住居者が帰宅した際には、ワイヤレスリモコン発信器を操作して、遠隔操作信号を防犯受信機に送信し、警戒解除に設定できる。
【０００５】
さらに、近時の防犯システムでは、防犯受信機と、携帯電話機とを連携させ、防犯受信機が警戒解除に設定されたときには、予め登録した携帯電話機を呼出して、そのことを通知するシステムも開発されている。
【特許文献１】特開２００５−３３８９２０号公報
【発明の開示】
【発明が解決しようとする課題】
【０００６】
しかしながら、上記した従来の防犯システムでは、防犯受信機が警戒解除に設定されたことを携帯電話機によって通知されるに過ぎず、通知を受けた者は、誰が警戒解除に設定したのかまで確認することができなかった。
【０００７】
そこで、本発明は、防犯受信機と電子メールとを連携させて、ワイヤレスリモコン発信器からの遠隔操作信号を受付けて警戒解除に設定されたときに、誰が警戒解除に設定したのか、つまり帰宅者が誰であるかを外出先で電子メールで容易に確認でき防犯受信機を提供することを目的とする。
【０００８】
また、このような防犯受信機とサービスサーバを組み込んで、防犯受信機が警戒解除に設定されたときに、誰が警戒解除に設定したか、つまり帰宅者が誰であるかを即座に確認できる防犯システムを提供することを目的とする。
【課題を解決するための手段】
【０００９】
上記目的を達成するため、本発明による防犯システムは、ワイヤレスリモコン発信器からの遠隔操作信号を受付けて、防犯モードを警戒セット、警戒解除に設定変更する機能を備えた防犯受信機と、サービスサーバとを備え、該防犯受信機が設定変更されたときには、上記サービスサーバが、予め登録された通知先に電子メールで通知を行う防犯システムであって、上記防犯受信機は、上記ワイヤレスリモコン発信器の遠隔操作を受付けてモードが少なくとも警戒セット、または警戒解除に設定変更されたときには、モードが設定変更されたことを、上記ワイヤレスリモコン発信器の識別コードを少なくとも含んだモード変更通知情報として上記サービスサーバに所定のプロトコルで送信する手段を備え、かつ監視対象となる防犯センサがワイヤレス接続されており、上記ワイヤレスリモコン発信器は、上記遠隔操作信号に個別の識別コードを付加して発信し、上記サービスサーバは、上記防犯受信機に対して、上記ワイヤレスリモコン発信器の識別コードに対応させて、所持者を示す個別情報と通知先アドレスとを少なくとも登録する通知先登録テーブルを有した通知先登録設定手段と、電子メール生成手段とを備え、上記電子メール生成手段は、上記防犯受信機から上記モード変更通知情報を受信したときには、上記識別コードに対応した個別情報と通知先アドレスとを含めた所定形式の電子メールを作成して送信することを特徴とする。
【発明の効果】
【００１３】
本発明によれば、ワイヤレスリモコン発信器の遠隔操作を受付けてモードが設定変更されたときには、モードが設定変更されたことを、ワイヤレスリモコン発信器の識別コードを少なくとも含んだモード変更通知情報をサービスサーバに送信するので、サービスサーバに対して、モードが設定変更されたことを知らせる電子メールを作成させることができる。
【００１４】
また、防犯受信機がモード設定変更を受け付けたときには、サービスサーバに対して、ワイヤレスリモコン発信器の識別コードに対応した個別情報を含めて、所定の通知先に対して所定様式の電子メールを送信させる。
【００１５】
したがって、メール宛先のパソコンや携帯電話機が、そのメールサーバにアクセスし、その電子メールをダウンロードすれば、警戒解除などのモード設定が変更された日時、誰が行ったか等を、宅外からでも確認できる。
【００１６】
また、本発明によれば、監視対象となる防犯センサがワイヤレス接続され、かつワイヤレスリモコン発信器によって、防犯モードを警戒セット、警戒解除に設定変更する機能を備えたワイヤレス防犯システムを提供することができる。
【発明を実施するための最良の形態】
【００１７】
以下に、本発明の実施の形態について説明する。
【実施例１】
【００１８】
図１は、本発明の防犯受信機を用いたワイヤレス防犯システムの基本構成の一例を示すシステム構成図である。なお、ここでは、防犯受信機１と防犯センサ３とをワイヤレス接続しているが、信号線で接続してもよい。
【００１９】
この防犯システムは、防犯受信機１、インターネットなどの通信ネットワークＮを通じて接続されたサービスサーバ６、住戸などの居住者が各自所持するワイヤレスリモコン発信器２、監視対象を監視する防犯センサ３、防犯押釦４、ブザー受信器５を備えている。
【００２０】
防犯受信機１は、警報表示部１６、警戒釦Ｂ１、警戒解除釦Ｂ２、警報表示部１６、確認釦Ｂ３を備えており、警戒釦Ｂ１を操作すれば、防犯受信機は警戒モードに設定され、防犯システムを稼動させ、いずれかの防犯センサ３が感知信号を出力すれば警報音を出力するが、警戒解除釦Ｂ２を操作すれば、防犯受信機１は警戒モードが解除され、防犯センサ３から感知信号を受信しても警報音を発生しない。
【００２１】
警報表示部１６には、防犯システムを構成する、いずれかの防犯センサ３が感知信号を出力すると、異常を検知した防犯センサ３の監視エリア、防犯センサ３の種別を示すシンボルなどが点滅して表示され、確認釦Ｂ３を操作すれば、点滅しているシンボルが点灯し、異常についての詳細情報を音声メッセージの形で出力する。
【００２２】
なお、図示はされていないが、防犯受信機１に報知釦を設け、この釦を操作すれば報知モードになり、防犯センサ３が異常を検知しても、警報音を出力させずに報知音を出力するようにも出来る。
【００２３】
サービスサーバ６は、防犯受信機１からのモード変更通知情報を受け付けて、所定様式の電子メールを作成して予め登録されたメールサーバに送信し、通信ネットワークＮを次々転送させることで、通知先のメールサーバ９に送信し、そのメールボックスに保存させる。
【００２４】
メールサーバ９は、通信ネットワークＮ上に設けており、パソコン７、携帯電話機８のアクセスにより、電子メールを取り出すことができるようにしている。
【００２５】
電子メール通知サービスサーバＳはメールサーバ９に付加接続され、メールサーバ９に電子メールが受信されたときには、電子メールを受信したことを、パソコン７、携帯電話機８に通知する。
【００２６】
図２は、本発明の防犯受信機の内部構成の一例を示すブロック図である。
【００２７】
防犯受信機１は、マイコン等で構成される制御部１０、防犯受信機１に割り当てた識別コードの他に、ワイヤレスリモコン発信器２など、防犯システムに組み込まれ、感知信号を受信したときの制御処理の有効無効を判断するための識別コードを登録した識別コード記憶手段１１、確認釦Ｂ３が操作されたときにスピーカＳＰより鳴動すべき音声メッセージ（異常を検知した監視エリア、防犯センサ３についての詳細情報）などを生成する音声合成部１２、アンテナＡＮＴを通じて、ワイヤレスリモコン発信器２、防犯センサ３との信号送受状態を問い合わせるための送信部１３、ワイヤレスリモコン発信器２からの遠隔操作信号や、防犯センサ３からの感知信号を受信するための受信部１４、警戒セット釦Ｂ１、警戒解除釦Ｂ２、確認釦Ｂ３などの各種操作釦で構成される操作釦部１５、監視エリア、防犯センサ２のシンボルを記し、異常を生じた場合に、それらのシンボルを点滅、点灯させるＬＥＤなどの発光手段を備えた警報表示部１６、ＡＣ１００Ｖ電源によって駆動電源を生成する電源部１７を備えている。
【００２８】
ここに、制御部１０は、防犯センサ３の監視エリア、防犯センサ３の種別を判別するための判別制御手段１０Ａ、警戒釦Ｂ１の操作による警戒モードの設定、警戒解除釦Ｂ２の操作による警戒モードの解除、ワイヤレスリモコン発信器２からの遠隔操作信号を受付けて警戒（報知）モードあるいは警戒（報知）モードの設定、解除を行う警戒（報知）設定／解除手段１０Ｂを備えている。
【００２９】
また、警戒（報知）モードが設定されているときに防犯センサ３から感知信号を受信した際に鳴動すべき警報音（報知音）を切り換える鳴動音切換手段１０Ｃ、通信ネットワークＮとの間の通信を制御し、モードが設定変更されたときには、ワイヤレスリモコン発信器２の識別コードを少なくとも含んだモード変更通知情報をサービスサーバ６に対して、所定のプロトコルで送信するための通信制御手段１０Ｄ、ワイヤレスリモコン発信器２などシステムを構成する機器から識別コードを付加した各種信号を受信したときに、その識別コードが識別コード記憶手段１１に登録済みか否かを照合するための識別コード照合手段１０Ｅを備えている。
【００３０】
図３は、サービスサーバ６の要部構成の一例を示す図であり、図４は、通知先登録テーブルの構成の一例を示す図である。
【００３１】
サービスサーバ６は、制御部６、通知先登録設定手段６１、電子メール生成手段６２を備えている。
【００３２】
通知先登録設定手段６１は、防犯受信機１の識別コードに対応して、通知先登録テーブル６１Ａを備えている。すなわち、通知先登録設定手段６１では、１または複数の防犯受信機１の識別コード毎に、通知先登録テーブル６１Ａを有している。
【００３３】
通知先登録テーブル６１Ａは、ワイヤレスリモコン発信器２の識別コード、ワイヤレスリモコン発信器２の所持者を示す個別情報、通知先アドレスが登録されるようになっている。なお、これらの登録は、外部のパソコン７、携帯電話機８からの通信ネットワークＮを通じたアクセスを受けたときに、これらに所定の登録設定画面を開かせて登録できるようにすればよい。
【００３４】
電子メール生成手段６２には、電子メールの送信元となるサービスサーバ６のアドレスや、電子メールの送信先となるメールサーバのアドレスの他に、モードの変更内容毎に、雛形電子メールを予め登録しており、防犯受信機１よりモード変更通知情報を受信したときには、ワイヤレスリモコン発信器２の識別コードに対応する個別情報と通知先アドレスとを読み出して、モード変更内容に応じた雛形電子メールに含ませた電子メールを作成し、予め登録されたメールサーバに送信し、通信ネットワークＮで次々に転送させて、通報先のメールサーバ９に送信させる。
【００３５】
ここで、雛形電子メールとは、「＊＊＊が、ＸＸ日ＹＹ時ＺＺ分に帰宅しました」のような電子メールや、「＊＊＊が、ＸＸ日ＹＹ時ＺＺ分に、リモコンで警戒モードを解除させました」のような電子メールをいう。
【００３６】
この電子メール生成手段６２は、防犯受信機１がワイヤレスリモコン発信器２によって、警戒モードが解除されると、通知先登録テーブル６１Ａの個別情報を読み出して、電子メール雛形の＊＊＊を書き換え、ＸＸ、ＹＹ、ＺＺに、日時情報を埋込み、登録されている通知先アドレスや、送信元となるサービスサーバ６のアドレスを付加して生成した電子メールを送信するようになっている。
【００３７】
図４は、ワイヤレスリモコン発信器２の外観の一例を示す図である。
【００３８】
ワイヤレスリモコン発信器２は、各々、固有の識別コードが予め付与されており、警戒釦Ｂ１、警戒解除釦Ｂ２、報知釦Ｂ４、電源釦Ｂ５を備えており、警戒釦Ｂ１、警戒（報知）解除釦Ｂ２、報知釦Ｂ４を操作すれば、識別コードを含む警戒モード設定指令、警戒モード解除指令などの遠隔操作信号が送信され、これを受付けた防犯受信機１は、警戒（報知）モードの設定、解除を行う。
【００３９】
すなわち、警戒釦Ｂ１が操作されたときには遠隔操作信号として警戒モード設定指令信号を送信し、警戒（報知）解除釦Ｂ２が操作されたときには遠隔操作信号として警戒（報知）モード解除指令信号を送信する。また、報知釦Ｂ４が操作されたときには、報知モード設定指令信号を出力する。
【００４０】
図６は、ワイヤレスリモコン発信器２の基本動作の一例を示すフローチャートである（１００〜１０２）。
【００４１】
ワイヤレスリモコン発信器２では、警戒（報知）解除釦Ｂ２が操作されたときには、遠隔操作信号として、識別コードを含む警戒（報知）モード解除指令信号を送信する。
【００４２】
図７は、防犯受信機１の基本動作の一例を示すフローチャートである（２００〜２０７）。
【００４３】
防犯受信機１は、ワイヤレスリモコン発信器２から警戒（報知）解除指令を受付けたときには、その識別コードを判別し、登録されているワイヤレスリモコン発信器２であれば、警戒（報知）モードを解除し、モードが設定変更されたことを、モード変更通知情報としてサービスサーバ６に送信するようにしている。
【００４４】
すなわち、防犯受信機１は、遠隔操作信号を受付けたときには、そこに含まれている識別コードを判別し、識別コード記憶手段１１に登録済みか否かを判定する。
【００４５】
登録済みであれば、遠隔操作信号の受付けを有効として、遠隔操作信号が警戒（報知）モード解除指令信号か否かを判別し、そうであれば、警戒（報知）モードを解除する。
【００４６】
ついで、予め登録されたサービスサーバ６をアクセスし、防犯受信機１の識別コード、ワイヤレスリモコン発信器２の識別コードを含むモード変更通知情報を、所定のプロトコルで送信する。
【００４７】
なお、受信した識別コードが防犯受信機１に予め登録されていない場合には、遠隔操作信号の受信を無効とする。
【００４８】
図８は、サービスサーバ６の基本動作の一例を示すフローチャートである（３００〜３０４）
サービスサーバ６は、予め識別コードが登録された防犯受信機１から、ワイヤレスリモコン発信器２の識別コードを含んだモード変更通知情報を受信したときには、通知先登録テーブル６１Ａを参照して、対応する個別情報と通知先アドレスとを読み出す。
【００４９】
そして、雛形電子メールに、日時情報や、その個別情報を埋込むことにより、モード変更、例えば、警戒（報知）モードの解除を通知する電子メールを作成し、通知先アドレスを付加した電子メールを作成し、予め登録されたメールサーバに送信する。
【００５０】
その電子メールは、メールサーバ間で次々に転送され、通知先アドレスを管理するメールサーバ９まで転送されたときには、電子メール受信通知サービスサーバＳが、予め登録している携帯電話機８やパソコン７などに、メール受信を通知し、その通知を受けた携帯電話機８や、パソコン７がメールサーバ９をアクセスして電子メールをダウンロードする。
【００５１】
図９は、サービスサーバ６から送信された電子メールの一例を示す図である。この電子メールＭは、「＊＊＊が、警戒（報知）を解除しました。」という雛形電子メールの＊＊＊に、個別情報であるニックネームを埋込んだ警戒（報知）モードの解除を示すメッセージ本文Ｍ１と、通知先アドレス、送信元アドレス、日時情報等を含んだヘッダー情報Ｍ２とを含んでいる。
【００５２】
図例のものでは、ワイヤレスリモコン発信器２の所持者のメールアドレスＭ３もメッセージ本文Ｍ１に書き込んでいるが、このようなものでは、防犯受信機１から電子メールによる通知を受けた後、その送信元アドレスのメールアドレスに問い合わせを行って、事実関係を確認することが出来る。
【００５３】
また、所持者のメールアドレスＭ３に代えて、携帯電話番号を書き込んでもよく、この場合、即座に呼出し、通話で確認することもできる。
【００５４】
本発明では、このようにして電子メールＭがパソコン７や携帯電話機８に転送されるので、誰が防犯受信機１の警戒モードを解除したのかを容易に確認できる。
【００５５】
また、以上の実施例では、警戒モードが解除されたときに、電子メールを用いて通知することのみを説明したが、本発明は、警戒モードがセットされたときなどにも適用でき、それらを除外するものではない。
【図面の簡単な説明】
【００５６】
【図１】本発明の防犯受信機を用いたワイヤレス防犯システムの基本構成を示すシステム構成図
【図２】防犯受信機の内部構成の一例を示すブロック図
【図３】サービスサーバの内部構成の一例を示すブロック図
【図４】通知先登録テーブルの構成の一例を示す図
【図５】ワイヤレスリモコン発信器の外観構成の一例を示す図
【図６】ワイヤレスリモコン発信器の基本動作の一例を示すフローチャート
【図７】防犯受信機の基本動作の一例を示すフローチャート
【図８】サービスサーバの基本動作の一例を示すフローチャート
【図９】メールサーバに送信した電子メールの態様を示す図
【符号の説明】
【００５７】
１  防犯受信機
２  ワイヤレスリモコン発信器
３  防犯センサ
６  サービスサーバ
６１  通知先登録設定手段
６２  電子メール生成手段
Ｍ  電子メール
【図１】
0004715553.tif 000002
【図２】
0004715553.tif 000003
【図３】
0004715553.tif 000004
【図４】
0004715553.tif 000005
【図５】
0004715553.tif 000006
【図６】
0004715553.tif 000007
【図７】
0004715553.tif 000008
【図８】
0004715553.tif 000009
【図９】
0004715553.tif 000010